(57)【要約】【課題】記録可能容量に関する情報提示において使用者の利便性を向上した撮像装置を提供する。【解決手段】動画と静止画を撮影可能な撮像装置は、撮像手段により生成された動画または静止画の画像データを記録媒体に記録する記録手段と、動画撮影中は記録媒体に記録可能な動画の時間に関する第１の容量情報を表示し、静止画撮影中は記録媒体に記録可能な静止画の枚数に関する第２の容量情報を表示する表示手段とを備える。表示手段は、動画撮影完了後であっても所定時間が経過するまでは、第１の容量情報を継続して表示し、静止画撮影完了後であっても所定時間が経過するまでは、第２の容量情報を継続して表示する。所定時間の経過後、表示手段は第１の容量情報及び前記第２の容量情報のいずれか一方を表示する。【選択図】図１
2010252306.tif 000002
【特許請求の範囲】
【請求項１】
動画と静止画を撮影可能な撮像装置であって、
被写体像を撮像し、画像データを生成する撮像手段と、
前記撮像手段により生成された動画または静止画の画像データを記録媒体に記録する記録手段と、
動画撮影中は前記記録媒体に記録可能な動画の時間に関する第１の容量情報を表示し、静止画撮影中は前記記録媒体に記録可能な静止画の枚数に関する第２の容量情報を表示する表示手段と、を備え、
前記表示手段は、
動画撮影完了後であっても所定時間が経過するまでは、前記第１の容量情報を継続して表示し、静止画撮影完了後であっても所定時間が経過するまでは、前記第２の容量情報を継続して表示し、
前記所定時間の経過後は、前記第１の容量情報及び前記第２の容量情報のいずれか一方を表示する、
撮像装置。
【請求項２】
使用者からの静止画の撮影指示を受け付ける受付手段をさらに備え、
前記表示手段は、動画撮影完了後所定時間が経過する前であっても、前記受付手段が使用者から静止画の撮影指示を受け付けた場合、前記第２の容量情報を表示する、
請求項１に記載の撮像装置。
【請求項３】
使用者からの動画の撮影指示を受け付ける受付手段をさらに備え、
前記表示手段は、静止画撮影完了後所定時間が経過する前であっても、前記受付手段が使用者から動画の撮影指示を受け付けた場合、前記第１の容量情報を表示する、
請求項１に記載の撮像装置。
【請求項４】
前記表示手段は、動画撮影に関する操作画面を表示している場合、前記第１の容量情報を表示する、請求項１に記載の撮像装置。
【請求項５】
前記表示手段は、静止画撮影に関する操作画面を表示している場合、前記第２の容量情報を表示する、請求項１に記載の撮像装置。
【請求項６】
前記表示手段は、前記第１の容量情報と前記第２の容量情報とを画面上の同じ位置に表示する、請求項１に記載の撮像装置。
【発明の詳細な説明】
【技術分野】
【０００１】
本発明は、動画と静止画を撮影可能な撮像装置に関し、特に、動画と静止画の記録可能容量に関する情報を提示可能な撮像装置に関する。
【背景技術】
【０００２】
特許文献１は動画と静止画を記録可能な記録装置を開示する。この記録装置は、静止画を記録時には、記録媒体の残量を枚数表示し、動画を記録する時には、記録媒体の残量を時間表示する。これにより、使用者は、動画と静止画を混合して記録する場合にもメモリの残量を動画静止画のいずれでも短時間で正確に知ることができる。
【先行技術文献】
【特許文献】
【０００３】
【特許文献１】特開平７−３２６１７２号公報
【発明の概要】
【発明が解決しようとする課題】
【０００４】
近年、記録媒体の容量は益々増大する傾向にあり、容量の増大にともない撮像装置で記録可能な動画や静止画の容量も増加している。使用者にとって、撮像装置における記録可能な容量を知ることは非常に重要なことである。よって、撮像装置において記録可能容量に関する情報を使用者にとって分かり易く提示することが要望される。また、近時のＤＳＣにおいては、表示画面に非常に多くの情報が表示されるので、混同を防止することに加えて、表示画面を有効に利用できることが要望される。
【０００５】
本発明は、記録可能容量に関する情報提示において使用者の利便性を向上した撮像装置を提供することを目的とする。
【課題を解決するための手段】
【０００６】
本発明の態様において、動画と静止画を撮影可能な撮像装置が提供される。撮像装置は、被写体像を撮像し、画像データを生成する撮像手段と、撮像手段により生成された動画または静止画の画像データを記録媒体に記録する記録手段と、動画撮影中は記録媒体に記録可能な動画の時間に関する第１の容量情報を表示し、静止画撮影中は記録媒体に記録可能な静止画の枚数に関する第２の容量情報を表示する表示手段とを備える。表示手段は、動画撮影完了後であっても所定時間が経過するまでは、第１の容量情報を継続して表示し、静止画撮影完了後であっても所定時間が経過するまでは、第２の容量情報を継続して表示する。所定時間の経過後、表示手段は、第１の容量情報及び第２の容量情報のいずれか一方を表示する。
【発明の効果】
【０００７】
本発明によれば、モニタ上に静止画の撮影可能枚数と動画の撮影可能時間との両方を同時に表示しない。これにより、使用者が、静止画の撮影可能枚数と動画の撮影可能時間の混同を防止でき、撮像装置の利便性を向上できる。また、動画または静止画の撮影完了後も所定時間の間は継続して、撮影可能時間または撮影可能枚数が表示される。これにより、使用者は撮影可能時間または撮影可能枚数の視認がし易くなる。
【図面の簡単な説明】
【０００８】
【図１】実施の形態１にかかるデジタルカメラのブロック図
【図２】撮影モード中のモニタ表示のフローチャート
【図３】撮影モード中のモニタ表示を説明するための模式図
【図４】メニュー選択中のモニタ表示のフローチャート
【図５】メニュー選択中のモニタ表示を説明するための模式図
【発明を実施するための形態】
【０００９】
以下、添付の図面を参照して本発明の実施の形態を説明する。
【００１０】
１．実施の形態１
１−１．概要
本実施の形態にかかるデジタルカメラは動画と静止画を撮影することができる。デジタルカメラは、動画の撮影可能時間と静止画の撮影可能枚数とのうちの何れかを表示モニタに表示し、その場合、動画の撮影可能時間と静止画の撮影可能枚数のいずれか一方のみを選択的に表示モニタに表示する。
【００１１】
１−２．構成
１−２−１．電気的構成
図１を用いて、本実施の形態のデジタルカメラの構成について説明する。デジタルカメラ１００は、１又は複数のレンズからなる光学系１１０により形成された被写体像をＣＣＤイメージセンサー１４０で撮像する。ＣＣＤイメージセンサー１４０で生成された画像データは、画像処理部１６０で各種処理が施され、メモリカード２００に格納される。以下、デジタルカメラ１００の構成を詳細に説明する。
【００１２】
光学系１１０はズームレンズやフォーカスレンズから構成される。ズームレンズを光軸に沿って移動させることにより、被写体像の拡大、縮小をすることができる。また、フォーカスレンズを光軸に沿って移動させることにより、被写体像のピントを調整することができる。
【００１３】
レンズ駆動部１２０は光学系１１０に含まれる各種レンズを駆動する。例えばズームレンズを駆動するズームモータや、フォーカスレンズを駆動するフォーカスモータがこれにあたる。
【００１４】
絞り３００は、使用者の設定に応じて若しくは自動で、開口部の大きさを調整し、透過する光の量を調整する。
【００１５】
シャッター１３０は、ＣＣＤイメージセンサー１４０に透過させる光を遮光するための手段である。
【００１６】
ＣＣＤイメージセンサー１４０は、光学系１１０で形成された被写体像を撮像して、画像データを生成する。ＣＣＤイメージセンサー１４０は、露光、転送、電子シャッターなどの各種動作を行う。
【００１７】
Ａ／Ｄコンバータ１５０は、ＣＣＤイメージセンサー１４０で生成されたアナログ画像データをデジタル画像データに変換する。
【００１８】
画像処理部１６０は、ＣＣＤイメージセンサー１４０で生成された画像データに対して各種処理を施す。画像処理部１６０は、ＣＣＤイメージセンサー１４０で生成された画像データに対して処理を施し、表示モニタ２２０に表示するための画像データを生成したり、メモリカード２００に格納するための画像データを生成したりする。例えば、画像処理部１６０は、ＣＣＤイメージセンサー１４０で生成された画像データに対してガンマ補正やホワイトバランス補正、傷補正などの各種処理を行う。また、画像処理部１６０は、ＣＣＤイメージセンサー１４０で生成された画像データに対して、ＪＰＥＧ規格に準拠した圧縮形式等により画像データを圧縮する。画像処理部１６０は、ＤＳＰやマイコンなどで実現可能である。
【００１９】
コントローラー１８０は、全体を制御する制御手段である。コントローラー１８０は、半導体素子などで実現可能である。コントローラー１８０は、ハードウェアのみで構成してもよいし、ハードウェアとソフトウェアとを組み合わせることにより実現してもよい。コントローラー１８０は、マイコンなどで実現できる。
【００２０】
バッファ１７０は、画像処理部１６０及びコントローラー１８０のワークメモリとして機能する。バッファ１７０は、例えば、ＤＲＡＭ、強誘電体メモリなどで実現できる。
【００２１】
カードスロット１９０は、メモリカード２００を着脱可能である。カードスロット１９０は、機械的及び電気的にメモリカード２００と接続可能である。メモリカード２００は、フラッシュメモリや強誘電体メモリなどを内部に含み、画像処理部１６０で生成された画像ファイル等のデータを格納可能である。
【００２２】
内部メモリ２４０は、フラッシュメモリや強誘電体メモリなどで構成される。内部メモリ２４０は、デジタルカメラ１００全体を制御するための制御プログラム等を記憶している。
【００２３】
操作部材２１０は、使用者からの操作を受け付けるユーザーインターフェースの総称である。例えば、使用者からの操作を受け付ける十字キーや決定釦等を含む。また、操作部材２１０は、静止画撮像の開始を指示するためのレリーズ釦２１１や、動画撮像の開始を指示するための動画撮像開始釦２１２を含む。レリーズ釦２１１と、動画撮像開始釦２１２とはそれぞれ独立して設けられている。使用者は、操作部材２１０を操作することで、デジタルカメラ１００の動作モードを設定できる。動作モードには、動画または静止画を撮影するための撮影モードと、撮影した画像データを再生するための再生モードとがある。
【００２４】
表示モニタ２２０は、ＣＣＤイメージセンサー１４０で生成した画像データが示す画像（スルー画像）や、メモリカード２００から読み出した画像データが示す画像を表示可能である。また、表示モニタ２２０は、デジタルカメラ１００の各種設定を行うための各種メニュー画面等も表示可能である。表示モニタ２２０は、メモリカード２００の残容量に関する情報として、動画の撮影時には動画の撮影可能時間を、静止画の撮影時には静止画の撮影可能枚数を表示する。動画及び静止画の撮影時以外の場合、表示モニタ２２０は、所定の設定にしたがい、スルー画像に重ねて動画の撮影可能時間または静止画の撮影可能枚数のいずれかを表示する。以下この所定の設定を「メモリカードの残容量の表示設定」という。メモリカードの残容量の表示設定は使用者が任意に設定できる。
【００２５】
１−２−２．用語の対応
ＣＣＤイメージセンサー１４０は撮像手段の一例である。メモリカード２００は、記憶手段の一例である。表示モニタ２２０は、表示手段の一例である。操作部材２１０は、受付手段の一例である。
【００２６】
１−３．動作
１−３−１．動画撮影時のモニタ表示
本実施の形態のデジタルカメラ１００は静止画及び動画を撮影することができる。図２，図３を用いて、デジタルカメラ１００の動画撮影時のモニタ表示について説明する。図２は、動画撮影時のモニタ表示を説明するためのフローチャートである。図３は、動画撮影時のモニタ表示を説明するための模式図である。
【００２７】
使用者は、デジタルカメラ１００が撮影モードに設定されている状態でレリーズ釦２１１を押下することで静止画の撮影を行うことができる。また、使用者は、デジタルカメラ１００が撮影モードに設定されている状態で動画撮影開始釦２１２を押下することにより動画の撮影を行うことができる。
【００２８】
メモリカードの残容量の表示設定に関して、使用者は操作部材２１０の所定のボタン（例えばメニュー釦）を操作することにより、静止画の撮影可能枚数に関する情報と、動画の撮影可能時間に関する情報のいずれを表示モニタ２２０に表示させるかを設定することができる。静止画の撮影可能枚数と動画の撮影可能時間とは、メモリカード２００の残容量等に基づいて算出できる。
【００２９】
以下、図２を参照し、動画撮影時のモニタ表示の制御について説明する。なお、以下の説明では、メモリカードの残容量の表示設定として、表示モニタ２２０に静止画の撮影可能枚数を表示するように設定されているとする。
【００３０】
使用者は、操作部材２１０の所定の釦を操作することにより、デジタルカメラ１００を撮影モードに設定することができる（Ｓ１００）。撮影モードに設定されると、コントローラー１８０は、メモリカードの残容量の表示設定にしたがった表示を行う。ここでは、コントローラー１８０は、静止画の撮影可能枚数を表示モニタ２２０に表示させる。具体的には、コントローラー１８０は、メモリカード２００の残容量等に基づいて、撮影可能な静止画の枚数を算出し、算出した撮影可能枚数に関する情報を表示モニタ２２０に表示させる（Ｓ１１０）。例えば、図３（Ａ）に示すように、表示モニタ２２０はスルー画像を表示し、さらに静止画の撮影可能枚数Ａを表示する。
【００３１】
その後、コントローラー１８０は、使用者により動画撮影開始釦２１２が押下されたか否かを判断する（Ｓ１２０）。動画撮影開始釦２１２が押下されたと判断すると、コントローラー１８０は、画像処理部１６０で生成された画像データのメモリカード２００への記録を開始し、メモリカード２００の残容量等から動画の撮影可能時間を算出し、表示モニタ２２０に表示させる（Ｓ１３０）。例えば、図３（Ｂ）のように、表示モニタ２２０は、スルー画像を表示し、さらに動画の撮影可能時間Ｂを表示する。撮影可能時間Ｂは、使用者の見やすさを考慮して、撮影可能枚数Ａと同じ場所に表示するのが好ましい。また、これにより、撮影可能枚数及び撮影可能時間を限られた場所に表示することができる。このことは特に小さい液晶画面での表示に有利となる。
【００３２】
その後、コントローラー１８０は、使用者により動画撮影の停止指示があったか否かを判断する（Ｓ１４０）。動画撮影の停止指示があったと判断すると、コントローラー１８０は、動画撮影の停止指示を受け付けてから所定時間が経過したか否かを判断する（Ｓ１５０）。所定時間は５秒に設定される。しかし、必ずしも５秒である必要はない。所定時間として、３秒や７秒のような任意の値を採用できる。なお、この時点においては、表示モニタ２２０は、動画の撮影可能時間を表示している。
【００３３】
動画撮影の停止指示を受け付けてから所定時間が経過したと判断すると、メモリカードの残容量の表示設定にしたがった表示に戻す。すなわち、コントローラー１８０は、メモリカード２００の残容量等から静止画の撮影可能枚数を算出し、算出した撮影可能枚数を表示モニタ２２０に表示させる（Ｓ１１０）。
【００３４】
一方、動画撮影の停止指示を受け付けてから所定時間を経過していないと判断すると、コントローラー１８０は、静止画撮影指示があったか否か、すなわち、使用者によってレリーズ釦２１１が押下されたか否かを判断する（Ｓ１６０）。静止画撮影指示があったと判断すると、コントローラー１８０は、未だ所定時間が経過していないけれども、メモリカード２００の残容量等から静止画の撮影可能枚数を算出し、算出した撮影可能枚数に関する情報を表示モニタ２２０に表示させる（Ｓ１１０）。一方、静止画撮影指示がなかったと判断すると、コントローラー１８０は、再度所定時間が経過したか否かを判断する（Ｓ１５０）。このように、動画撮影の停止指示後、所定時間が経過するまでは、静止画撮影の指示がなければ、継続して動画の撮影可能時間が表示モニタ２２０に表示される。
【００３５】
以上のように、本実施の形態のデジタルカメラ１００は、メモリカードの残容量の表示設定として、静止画の撮影可能枚数を表示モニタ２２０に表示するように設定されていたとしても、動画撮影が開始されると動画の撮影可能時間を表示モニタ２２０に表示させる。これにより、使用者は、動画を撮影する際には、表示モニタ２２０により動画の撮影可能時間を認識することができる。
【００３６】
また、デジタルカメラ１００は、動画撮影を停止した後に所定の時間が経過するまでは、表示モニタ２２０の表示を静止画の撮影可能枚数に切り替えずに、引き続き動画の撮影可能時間を表示モニタ２２０に表示させる。その理由は、動画の撮影の停止後、比較的短い時間内に動画の撮影を再開する可能性が高いからである。これにより、使用者は、動画の撮影の停止後、すぐに動画撮影を再開するような場合であっても動画撮影可能な時間を認識することができる。
【００３７】
また、本実施の形態にかかるデジタルカメラ１００は、動画撮影の停止後、所定時間の経過前であっても、レリーズ釦２１１が押下された場合（使用者により静止画撮影の指示があった場合）は、直ぐに静止画の撮影可能枚数を表示モニタ２２０に表示させる。その理由は、使用者によりレリーズ釦２１１が押下されると静止画撮影が行われるが、比較的短い時間内に静止画の撮影を再度行う可能性が高いため、撮影可能枚数を表示させる方が使用者の利便性に沿うからである。
【００３８】
１−３−２．メニュー選択時のモニタ表示
次に、デジタルカメラ１００のメニュー選択時のモニタ表示の制御について図４、図５を用いて説明する。図４は、メニュー選択時のモニタ表示を説明するためのフローチャートである。図５は、メニュー選択時のモニタ表示を説明するための模式図である。
【００３９】
使用者は、操作部材２１０の所定のボタン（例えばメニュー釦）を操作することにより、デジタルカメラ１００を撮影モードに設定することができる（Ｓ２００）。撮影モードに設定されると、コントローラー１８０は、メモリカード２００の残容量等に基づいて撮影可能な静止画の枚数を算出し、算出した撮影可能枚数に関する情報を表示モニタ２２０に表示させる（Ｓ２１０）。例えば、図５（Ａ）に示すように、表示モニタ２２０は、スルー画像を表示し、さらに静止画の撮影可能枚数Ａを表示する。
【００４０】
その後、コントローラー１８０は、使用者による操作部材２１０の所定の釦の操作により表示モニタ２２０にメニュー画面の表示がされたか否かを判断する（Ｓ２２０）。
【００４１】
表示モニタ２２０にメニュー画面が表示されたと判断すると、コントローラー１８０は、表示モニタ２２０に表示されているメニュー画面が動画撮影関連のメニュー画面であるか否かを判断する（Ｓ２３０）。ここで、動画撮影関連のメニュー画面は、例えば、図５（Ｂ）に示すような、撮影する動画像の画素数を選択するための画面を含む。図５（Ｂ）において、「ＳＨ」はフルハイビジョン動画を意味し、「Ｈ」はハイビジョン動画を意味し、「Ｌ」はスタンダード動画を意味する。
【００４２】
表示モニタ２２０が動画撮影関連のメニュー画面を表示していると判断すると、コントローラー１８０は、メモリカード２００の残容量等から動画の撮影可能時間を算出し、表示モニタ２２０に表示させる（Ｓ２４０）。例えば、図５（Ｂ）に示すように、表示モニタ２２０は、動画撮影関連のメニュー画面を表示し、さらに動画の撮影可能時間Ｂを表示する。
【００４３】
その後、コントローラー１８０は、動画撮影関連のメニュー画面の表示を終了させる指示が使用者からあったか否かを判断する（Ｓ２５０）。動画撮影関連のメニュー画面の表示を終了させる指示が使用者からあったと判断すると、コントローラー１８０は、メモリカード２００の残容量等から静止画の撮影可能枚数を算出し、算出した撮影可能枚数を表示モニタ２２０に表示させる（Ｓ２１０）。一方、動画撮影関連のメニュー画面の表示を終了させる指示がなかったと判断すると、コントローラー１８０は、継続して動画の撮影可能時間に関する情報を表示モニタ２２０に表示させる。
【００４４】
このように、デジタルカメラ１００は、表示モニタ２２０に静止画の撮影可能枚数を表示するように設定されていたとしても、動画撮影関連のメニュー画面を表示モニタ２２０に表示する際は、動画の撮影可能時間を表示モニタ２２０に表示する。これにより、メモリカードの残容量の表示設定として、表示モニタ２２０に静止画の撮影可能枚数を表示するよう設定されていたとしても、使用者は動画撮影関連の設定をする際に、動画の撮影可能時間を認識することができる。
【００４５】
２．他の実施形態
本発明の実施の形態として上記の例を説明したが、他の実施形態についても以下に説明する。
【００４６】
上記の例では、撮像手段として、ＣＣＤイメージセンサー１４０を用いたが、ＣＭＯＳイメージセンサーやＮＭＯＳイメージセンサーを使用してもよい。
【００４７】
また、画像処理部１６０とコントローラー１８０は、１つの半導体チップで構成してもよく、別々の半導体チップで構成してもよい。
【００４８】
また、上記の実施形態では、動画の撮影完了後、所定時間経過するまでは、動画の撮影可能時間を表示する例を説明したが、静止画の撮影完了後も同様に制御してもよい。すなわち、静止画の撮影完了後、所定時間が経過するまでは、静止画の撮影可能枚数を継続して表示するようにしてもよい。具体的には、動画の撮影可能時間を表示モニタ２２０に表示中に静止画の撮影が開始された場合、表示モニタ２２０に静止画の撮影可能枚数を表示する。その後、静止画撮影完了後、所定時間の間は、撮影可能枚数を継続して表示し、その後、メモリカードの残容量の表示設定にしたがい表示を行ってもよい。
【００４９】
また、上記の実施形態では、動画撮影関連のメニュー画面を表示モニタ２２０に表示する際は、動画の撮影可能時間を表示モニタ２２０に表示したが、同様に、静止画撮影関連のメニュー画面を表示モニタ２２０に表示する際に、静止画の撮影可能枚数を表示モニタ２２０に表示させるようにしてもよい。
【産業上の利用可能性】
【００５０】
本発明は、動画及び静止画が撮影可能な装置、例えば、デジタルスチルカメラ、デジタルビデオカメラのような撮像装置やカメラ機能付き携帯電話に適用できる。
【符号の説明】
【００５１】
１００  デジタルカメラ
１１０  光学系
１２０  レンズ駆動部
１３０  シャッター
１４０  ＣＣＤイメージセンサー
１５０  Ａ／Ｄコンバータ
１６０  画像処理部
１７０  バッファ
１８０  コントローラー
１９０  カードスロット
２００  メモリカード
２１０  操作部材
２２０  表示モニタ
【図１】
2010252306.tif 000003
【図２】
2010252306.tif 000004
【図３】
2010252306.tif 000005
【図４】
2010252306.tif 000006
【図５】
2010252306.tif 000007